(57)【特許請求の範囲】
【請求項１】
出入口側レールと収納側レールとコーナーレールとから構成された上下のガイドレールに、複数のパネルを屈曲自在に連結したスライダーカーテンの上下端に設けられた上下のガイド部材が案内されて、横方向に開閉移動する上吊り式横引スライダーにおいて、スライダーカーテンの屋外側下端が、出入口側レール部では出入口側レール頂部より下に位置し、コーナーレール部ではコーナーレール頂部より上に位置することを特徴とした横引スライダー。
【請求項２】
請求項１において、前記コーナーレールをその頂部がスライダーカーテンの屋外側下端より低い位置に下げ、かつ下側ガイド部材が上下に可動して前記コーナーレールに追従することを特徴とした横引スライダー。
【請求項３】
請求項１又は２において、前記コーナーレールの幅方向両側に外れ止めガイドを形成してなることを特徴とした横引スライダー。
【請求項４】
出入口側レールと収納側レールとコーナーレールとから構成された上下のガイドレールに、複数のパネルを屈曲自在に連結したスライダーカーテンの上下端に設けられた上下のガイド部材が案内されて、横方向に開閉移動する上吊り式横引スライダーにおいて、スライダーカーテンの屋外側下端が、出入口側レール部では出入口側レール頂部より下に位置し、且つコーナーレール部ではコーナーレール頂部より上に位置し、該コーナーレールは、両コーナー端部箇所では、隣接するレールと同等高さでコーナーレールの中央側に向かって次第に消滅する略三角錐形状とした三角錐状レールを形成し、前記コーナー端部箇所を除いて断面凹形状の凹レールとしてなることを特徴とした横引スライダー。
【発明の詳細な説明】
【０００１】
【発明の属する技術分野】
本発明は、車庫、倉庫等の横引スライダーに関するものであり、特にスライダーカーテン下端の内外に貫通する隙間をなくして耐風圧、防犯性を確保し、且つ、コーナーレール箇所の曲率半径を小半径とし、コーナーレール箇所の省スペースを確保するとともに、コーナー部をスムーズに移動することができる横引スライダーに関する。
【０００２】
【従来の技術】
従来より種々のタイプの横引スライダーが開発されている。一般に多くの横引スライダーの構造としては、下端に車輪を、あるいは上端にハンガーローラを設けたパネル部材を複数備え、そのパネル部材の幅方向端部同士を連結し、該連結箇所で屈曲自在としたスライダーカーテンを車庫、倉庫等の建築物の出入口開口部に設けた上下のガイドレールに沿って開閉移動する構造としたものである。
【０００３】
その上下のガイドレールは、建築物の出入口用とした開口部の幅方向に沿って設けた出入口側レールと、該出入口に直交して（１２０°程度の鈍角の場合もある）建築物の奥行き方向に沿って設けた収納側レールと、それらを連結する為の所定の半径とした９０°カーブのコーナーレールにより構成されている。
【０００４】
また耐風圧、防犯性を考慮して、例えば図５（Ｂ）に示すようにパネル下端の断面略門形状の溝部に下レールを遊挿し、内外に貫通する隙間をなくすように設定したものがある。
【０００５】
【発明が解決しようとする課題】
しかしこのものでは、スライダーカーテンがコーナーレール箇所を通過するときに、パネル下端がレール部材とぶつかり通過に支障をきたしたり、無理な荷重がかかり、パネルが形成するおそれがある。このようなことが起こらないようにするために、コーナーレールの曲率半径を、スライダーカーテンを構成する各パネルの幅寸法に比し十分大きなものとするか、あるいはパネル下端の溝幅をコーナーレールの円弧部の弧の高さを吸収できる程度に十分広くする必要がある。
【０００６】
ところで、そのコーナーレールの曲率半径を大きくして、スライダーカーテンの開閉をスムーズにすることは容易にできるが、これでは、コーナーレール箇所の占めるスペースが大きくなり、出入口の有効開口幅が小さくなる。またパネル下端の溝幅を広くした場合は、出入口側レールのような直線レール部では、レールとパネル下端との遊び（間隔）が大きくなり過ぎ防犯性等が低下する。
【０００７】
【課題を解決するための手段】
そこで、本発明は、出入口側レールと収納側レールとコーナーレールとから構成された上下のガイドレールに、複数のパネルを屈曲自在に連結したスライダーカーテンの上下端に設けられた上下のガイド部材が案内されて、横方向に開閉移動する上吊り式横引スライダーにおいて、スライダーカーテンの屋外側下端が、出入口側レール部では出入口側レール頂部より下に位置し、コーナーレール部ではコーナーレール頂部より上に位置する横引スライダーとしたことにより、コーナーレールの曲率半径を極めて小さく設定することができ、またパネル下端の溝幅も小さくでき、上記課題を解決したものである。
【０００８】
また、前述のものにおいて、前記コーナーレールをその頂部がスライダーカーテンの屋外側下端より低い位置に下げ、かつ下側ガイド部材が上下に可動してコーナーレールに追従する構成としたことにより、コーナーレールの曲率半径を極めて小さく設定しながら、スライダーカーテンがスムーズに通過移動することができる。
【０００９】
また、請求項１又は２において、前記コーナーレールの幅方向両側に外れ止めガイドを形成してなる横引スライダーとしたことにより、コーナー部での下側ガイド部材の脱落を、より確実に防止することができる。
【００１０】
【発明の実施の形態】
以下、本発明の実施の形態を図面に基づいて説明する。先ず、下部ガイドレールＡの構成は、図１（Ｂ）に示すように、出入口側レール部材Ａ1 ，コーナーレール部材Ａ2 ，収納側レール部材Ａ3 及び傾斜レール部材Ａ4 とから構成される。各レール部材は、レールと台座とからなり、まず出入口側レール部材Ａ1 では、図２（Ａ）に示すように、出入口側台座２の長手方向に沿って断面略三角山形状の出入口側レール１が形成されている〔図５（Ｂ）参照〕。その出入口側台座２は、略門形状に形成され、その出入口側台座２の幅方向頂部中央に出入口側レール１が一体的に形成されるものである。その出入口側台座２の頂部は、床面（ＦＬ）より僅かに突出するか、同一面としている。
【００１１】
同様に、コーナーレール部材Ａ2 も、図２（Ａ）に示すように、円弧状に湾曲するコーナー台座４にコーナーレール３が形成されている。そのコーナーレール部材Ａ2 のコーナーレール３の曲率半径Ｒは、後述する中間パネルＰC の幅方向寸法ＷC より小さい数値とすることができる。そのコーナー台座４は、略凹形状に形成され、台座面４ａの幅方向両側より上方に立上り側部４ｂ，４ｂが形成されている。該コーナー台座４は、埋設タイプとしたものであり、図５（Ｃ）に示すように、前記両立上り側部４ｂ，４ｂの上端箇所が床面（ＦＬ）より僅かに突出するか、或いは両立上り側部４ｂ，４ｂの上端が床面（ＦＬ）と同一面となるように設定される。
【００１２】
次に、収納側レール部材Ａ3 は、収納側台座６の頂部に断面略三角山形状の収納側レール５が形成されたものである。該収納側レール部材Ａ3 の断面形状は、前記コーナーレール部材Ａ2 と同様であり、収納側台座６の台座面６ａの幅方向両側に立上り側部６ｂ，６ｂが形成されている。そして、収納側レール部材Ａ3 も前記コーナーレール部材Ａ2 と同様に埋設タイプで、前記両立上り側部６ｂ，６ｂの上端箇所が床面（ＦＬ）より僅かに突出するか、或いは両立上り側部６ｂ，６ｂの上端が床面（ＦＬ）と同一面となるように設定される。
【００１３】
その出入口側レール部材Ａ1 の出入口側レール１の頂部とコーナーレール部材Ａ2 のコーナーレール３の頂部とは床面（ＦＬ）を基準とした場合の高さが異なり、出入口側レール１がコーナーレール３より常に高い位置である。その出入口側レール１とコーナーレール３との高低差をｈとする。
【００１４】
その出入口側レール部材Ａ1 とコーナーレール部材Ａ2 との間には、図２（Ａ）に示すように、傾斜レール部材Ａ4 が存在する。該傾斜レール部材Ａ4 は、傾斜台座８に傾斜レール７が形成されたものである。傾斜レール７は、出入口側レール１とコーナーレール３との間に配置され、出入口側レール１からコーナーレール３へ高低差ｈを形成して傾斜連結するものである。
【００１５】
その、傾斜レール７は、図２（Ｂ）に示すように、次第に低くなっている。その傾斜レール部材Ａ4 の各位置ＰC −ＰC ，ＰD −ＰD ，ＰE −ＰE の断面形状は図２（Ｃ），（Ｄ）及び（Ｅ）に示すようになっている。また、傾斜レール７の傾斜は直線状に形成されたものである。
【００１６】
そのスライダーカーテンＰは、図１（Ａ）及び図４等に示すように、複数のパネル材から構成され、該パネル材は、ジョイントパネルＰJ 及び中間パネルＰC が存在する。そのジョイントパネルＰJ は、幅方向の寸法ＷJ が中間パネルＰC の幅方向の寸法ＷC より小さく、具体的にはジョイントパネルＰJ は、中間パネルＰC の幅方向の１／３程度である。そのジョイントパネルＰJ は、ジョイントパネル本体１０の下端にガイド部材１１が上下方向に移動する構造となって設けられている。
【００１７】
その構造は、具体的には、図３（Ａ），（Ｂ）及び（Ｃ）に示すように、ジョイントパネル本体１０の下端箇所において上下方向に移動自在とした軸受部材１２にガイド部材１１が装着されたものである。そのジョイントパネル本体１０には、前記軸受部材１２を上下方向に移動自在に支持する固定板材１３が固着されている。
【００１８】
その軸受部材１２は、軸受枠１２ａとガイドピン１２ｂとから構成され、ガイドピン１２ｂが前記固定板材１３の支持頂片１３ａに形成された貫通孔１３ａ1 に貫通し、その軸受枠１２ａと固定板材１３の支持頂片１３ａとの間に位置するようにしてコイルスプリング１４がガイドピン１２ｂに装着され、そのコイルスプリング１４の弾発力によって、軸受部材１２及びガイド部材１１が常時，下方に弾性的に突出するように付勢される構造としている。該ガイド部材１１は、図３に示すように、輪状体としたものが好適である。或いは、ガイドレールに対応できるように鞍型状とすることもある。
【００１９】
そのジョイントパネルＰJ の上端には、図４（Ａ）に示すように、ハンガー部材１５が設けられている。該ハンガー部材１５は、図５（Ｂ）に示すように、上部ガイド枠１５ａ，走行ガイドローラー１５ｂ，ハンガーローラー１５ｃとから構成されている。そのジョイントパネルＰJ は、ハンガー部材１５を介して上部ガイドレール２５に吊設され、ジョイントパネルＰJ が上部ガイドレール２５に沿って移動自在としている。その上部ガイドレール２５は断面略門形状に形成され、前記走行ガイドローラー１５ｂは上部ガイドレール２５内に位置し、ハンガーローラー１５ｃは上部ガイドレール２５の頂部を回転走行するものである。前記ジョイントパネルＰJ の幅方向両側には、連結片１７，１７が設けられ、後述する中間パネルＰC に連結する役目をなす。
【００２０】
そのジョイントパネルＰJ の下端には、ジョイントパネル下框材１６が設けられる〔図３（Ｃ）等参照〕。該ジョイントパネル下框材１６は、ジョイントパネル本体１０の下端箇所の両面から下方に向かって、幕状にジョイントパネル下框板片１６ａ，１６ａが、断面略門形状となるように構成されている。或いは、そのジョイントパネル下框材１６のジョイントパネル下框板片１６ａは、ジョイントパネルＰJ の屋外側にのみ設けられるようにするタイプも存在している〔図９（Ｃ）参照〕。
【００２１】
前記ガイド部材１１は、両ジョイントパネル下框板片１６ａ，１６ａの間から、出入し、常時，下方側に突出するように付勢されている。ガイド部材１１がジョイントパネルＰJ の下端箇所において、上下方向の移動範囲で、最も上方に位置した状態では、ガイド部材１１は、その全体が両ジョイントパネル下框板片１６ａ，１６ａ内に収納された状態となる〔図５（Ｂ）参照〕。
【００２２】
また、ガイド部材１１がジョイントパネル下框板片１６ａ，１６ａから最も突出した状態においては、そのガイド部材１１は、前記両ジョイントパネル下框板片１６ａ，１６ａの下端よりその一部が突出する状態となる〔図５（Ｃ）参照〕。そして、ジョイントパネルＰJ が出入口側レール部材Ａ1 を通過するときには、そのジョイントパネル下框板片１６ａ，１６ａの内部に出入口側レール１が入り込むように位置する状態であり〔図５（Ｂ）参照〕、また、ジョイントパネルＰJ がコーナーレール部材Ａ2 或いは収納側レール部材Ａ3 を通過するときには、そのジョイントパネル下框板片１６ａ，１６ａと、コーナーレール３或いは収納側レール５とが離れた状態となる〔図５（Ｃ）参照〕。
【００２３】
次に、中間パネルＰC は、前記ジョイントパネルＰJ に装着されてるガイド部材１１及びハンガー部材１５は、中間パネルＰC には装着されていない（図９参照）。その中間パネル本体１８の下端には、中間パネル下框材１９が装着されている。その中間パネル下框材１９は、中間パネル下框板片１９ａ，１９ａを有している。また、中間パネル下框板片１９ａは、中間パネルＰC の屋外側にのみ位置するように設けられるタイプも存在する〔図９（Ｄ）参照〕。その中間パネルＰC の幅方向両側には、連結片２０，２０が設けられている。
【００２４】
そして、ジョイントパネルＰJ と中間パネルＰC とは、その連結片１７と連結片２０とが枢支連結され、ジョイントパネルＰJ と中間パネルＰC とが連結箇所で枢支回動する構造となっており、その中間パネルＰC は、図１，図４等に示すように、その幅方向両側において、前記連結片１７と連結片２０との連結によりジョイントパネルＰJ ，ＰJ により連結支持され、ジョイントパネルＰJ が下部出入口側レールＡ1 ，コーナーレール部材Ａ2 及び下部収納側レール部材Ａ3 に沿って移動するのに従って移動するものである。
【００２５】
次に、下部ガイドレールＡの第２の実施の形態としては、コーナーレール部材Ａ2 のコーナーレール３及び収納側レール部材Ａ3 ，収納側レール５がそれぞれ床面（ＦＬ）より高い位置となるものである。即ち、図８に示すようにコーナーレール部材Ａ2 のコーナー台座４及び収納側レール部材Ａ3 の収納側台座６はそれぞれ床面（ＦＬ）と略同一面であり、したがって、コーナーレール３及び収納側レール５の周囲には、溝が存在しない。また、出入口側レール部材Ａ1 の出入口側台座２は床面（ＦＬ）より高い位置である。この結果、塵や水の溜まりを防止することができる。
【００２６】
また、コーナーレール部材Ａ2 のコーナーレール３の幅方向両側には、図８（Ｄ）に示すように、コーナーレール３の長手方向に沿って外れ止めガイド３ａ，３ａが形成され、スライダーカーテンＰのジョイントパネルＰJ がコーナーレール部材Ａ2 を通過するときにガイド部材１１が脱落しないようになっている。尚、スライダーカーテンＰは、例えば同幅のパネルを連結したものでも良く、上下のガイド部材は、パネルの連結部に設けたものでも良い。
【００２７】
次に、コーナーレール部材Ａ2 のさらに別の実施形態を説明する。該実施形態では、コーナーレール部材Ａ2 におけるコーナーレール３が凹レール３A と三角錐状レール３B とから構成されたものである。その凹レール３A は、断面略凹状とした溝状のものであり、コーナーレール３の円弧状カーブ領域を構成している〔図１１（Ａ），図１３参照〕。
【００２８】
このコーナーレール３において、輪状体のガイド部材１１は、コーナーレール３において三角錐状レール３B から凹レール３A を通過し、そしてまた三角錐状レール３B を通過する〔図１５（Ａ）参照〕。三角錐状レール３B は、コーナーレール３のコーナーの両端部箇所に形成されたもので、両コーナー端部箇所において、他の隣接するレールと同等高さで且つコーナーレール３の中央側に向かって次第に消滅する略三角錐形状に形成されたものである。
【００２９】
そして、出入口側レール１に連結する側の三角錐状レール３B では、その外端部が最も高くなるように形成されている〔図１２（Ａ），（Ｂ）参照〕。図１２（Ｃ）乃至（Ｆ）では、三角錐状レール３B の各部分の断面形状を示しながら、三角錐状レール３B がコーナーレール３の中央側に向かうに従い次第に消滅する形状を示している。また、両三角錐状レール３B ，３B は、コーナー両端箇所において比較的僅かの範囲に形成される〔図１１（Ａ）参照〕。
【００３０】
そして、出入口側レール１と連結する側の三角錐状レール３B の付近ではコーナー台座４の台座面４ａは、平面的に見て略三角形状の誘導傾斜台座面４ａ1 としている。該誘導傾斜台座面４ａ1 は、コーナーレール３の通路方向の中央側に向かって下方に傾斜する傾斜面である〔図１２（Ａ），（Ｂ）参照〕。従って、その台座面４ａの幅方向両側の立上り側部４ｂ，４ｂも、コーナーレール３中央側に向かって次第に狭まり、凹レール３A の溝幅と同等幅に近づきながら凹レール３A へ連続している。
【００３１】
また、収納側レール５に連結する側の三角錐状レール３B 箇所には、同様に平面的に見て略三角形状の誘導台座面４ａ2 が形成されている。そして、同様に誘導台座面４ａ2 の幅方向に形成される立上り側部４ｂ，４ｂは、前述したようにコーナーレール３の中央側に向かって次第に狭まり、凹レール３A の溝幅と同等幅に近づきながら凹レール３A へ連続している（図１４参照）。即ち、両三角錐状レール３B ，３B 付近の誘導傾斜台座面４ａ1 ，誘導台座面４ａ2 及び両立上り側部４ｂ，４ｂは、ガイド部材１１を三角錐状レール３B から凹レール３A への円滑な誘導を行なう役目をなす部分である。
【００３２】
該実施形態では、他の実施形態と同様におけるコーナーレール３は、コーナー台座４とともに一体形のコーナーレール部材Ａ2 を構成している〔図１１（Ａ）参照〕。また、コーナーレール３が存在しない溝形状のコーナー台座４を凹レール３A と同様のものと見做すことができる。即ち、台座面４ａと両立上り側部４ｂ，４ｂにて構成した溝においては、その両立上り側部４ｂ，４ｂの間隔を凹レール３A の幅方向寸法と同一のものとした場合には、このコーナー台座４が凹レール３A と同様の働きをなすことになる。
【００３３】
該実施形態において、スライダーカーテンＰの開き動作の場合におけるジョイントパネルＰJ のガイド部材１１は、まず出入口側レール１から三角錐状レール３B に移動する。出入口側レール１と三角錐状レール３B は、図１１（Ａ）に示すように、共に断面三角形の突出形状のものであり、そして三角錐状レール３B は、次第に消滅するように形成されながら凹レール３A に連続するので、ガイド部材１１は三角錐状レール３B に跨がり状態に移動し、ガイド部材１１が次第に降下し〔図１６（Ａ），（Ｂ）参照〕、ガイド部材１１は凹レール３A の底面に接地する〔図１６（Ｃ）参照〕。
【００３４】
そして、ガイド部材１１は、その下部箇所が常時，凹レール３A 内に収まりながら回転移動する。図１５（Ｂ）には、ガイド部材１１が出入口側レール１から三角錐状レール３B ，凹レール３A に沿って回転移動する状態を示している。また、中間パネルＰC は凹レール３A を通過するときには、中間パネルＰC 下端箇所が凹レール３A の上方を幅方向に移動する〔図１５（Ａ）の想像線にて示した中間パネルＰC 及び図１７参照〕。
【００３５】
このコーナーレール３に凹レール３A を構成部としたものでは、特にスライダーカーテンＰの開閉速度を高速に行なう場合に好適である。即ち、ガイド部材１１がコーナーレール３を通過するときには、ガイド部材１１は凹レール３A 内を回転移動することになり、スライダーカーテンＰのコーナー通過時に遠心力がかかることによる外向きの力でガイド部材１１がコーナーレール３から脱輪することを防止することができる。
【００３６】
また、出入口側レール１からコーナーレール３にさしかかる位置にガイドローラ２６が設けられている。該ガイドローラ２６は、円筒状をなし、スライダーカーテンＰが出入口側レール１からコーナーレール３にさしかかる箇所でスライダーカーテンＰの中間パネルＰC 及びジョイントパネルＰJ をガイドするものである。なお、特に図示しないが、コーナーレール３は、両コーナー端部箇所に三角錐状レール３B ，３B を形成しないで、全て凹レール３A とし、コーナーレール３に隣接する出入口側レール１，収納側レール５に前記三角錐状レール３B と略同様の形状のレール端部を形成し、出入口側レール１及び収納側レール５を凹レール３A に連結可能としたものでもよい。さらに、出入口側レール１と凹レール３A のみからなるコーナーレール３との間に、前記三角錐状レール３B と略同様の傾斜レール７を有する傾斜レール部材Ａ4 を配置してもよい。
【００３７】
【作用】
スライダーカーテンＰの各ジョイントパネルＰJ ，ＰJ ，…の上部箇所が上部ガイドレール２５に吊設されて、下部箇所が下部ガイドレールＡにガイド部材１１，１１，…を介して上部ガイドレール２５及び下部ガイドレールＡに沿って走行し開閉を行う〔図１（Ａ）参照〕。ジョイントパネルＰJ ，中間パネルＰC が下部出入口側レールＡ1 ，コーナーレール部材Ａ2 及び下部収納側レール部材Ａ3 に沿って移動することができる構成となっている。
【００３８】
まず、ジョイントパネルＰJ は、上部ガイドレール２５に吊設されていることで、水平方向において同一高さに移動する。ガイド部材１１は、出入口側レール１とコーナーレール３とを通過するときに、その高低差ｈにしたがって、上下動することができ、常時ガイド部材１１は出入口側レール１，コーナーレール３に接触状態を維持できる〔図５（Ａ）及び図７（Ａ）参照〕。
【００３９】
このとき、中間パネルＰC は、ジョイントパネルＰJ によって、常時同一高さを維持されながら移動するので、中間パネルＰC は、図６（Ｄ）に示すように、その中間パネル下框材１９の内部に出入口側レール１が遊挿するように重合状態となる。
【００４０】
そして、コーナーレール部材Ａ2 及び収納側レール部材Ａ3 を通過するときには、中間パネル下框材１９がコーナーレール３，収納側レール５の上方を通過し、コーナーレール３及び収納側レール５に接触することがないので、コーナーレール部材Ａ2 及び収納側レール部材Ａ3 を良好に移動することができるものである〔図６（Ａ）及び（Ｃ）参照〕。
【００４１】
図１０は、開口部においてスライダーカーテンＰが全開の状態を示すものであり、その端部の中間パネルＰc には端部ガイド輪２１が装着されている。また、その端部の中間パネルＰc にはスライダーカーテン側目隠パネル２２が装着され、開口部の壁には壁側目隠パネル２３が装着され、そのスライダーカーテンＰの全閉時には、スライダーカーテン側目隠パネル２２と壁側目隠パネル２３とが近接するようになっている。
【００４２】
【発明の効果】
請求項１の発明は、出入口側レールと収納側レールとコーナーレールとから構成された上下のガイドレールに、複数のパネルを屈曲自在に連結したスライダーカーテンの上下端に設けられた上下のガイド部材が案内されて、横方向に開閉移動する上吊り式横引スライダーにおいて、スライダーカーテンＰの屋外側下端が、出入口側レール部では出入口側レール１の頂部より下に位置し、コーナーレール部ではコーナーレール３の頂部より上に位置する横引スライダーとしたことにより、出入口側レール部材Ａ1 箇所においては、スライダーカーテンＰの下端と出入口側レール１とが重合して、内外に貫通する隙間をなくし耐風圧、防犯性を確保し、且つスライダーカーテンＰ（特に中間パネルＰc ）がコーナーレール部材Ａ2 箇所を通過する時は、コーナーレール３の形状（曲率半径）に通過経路を制限されず、円弧の中心側を通過することができる。
【００４３】
それゆえに、コーナーレール３の曲率半径は、スライダーカーテンＰを構成するパネルの幅寸法に比しても十分小さくすることができ、コーナーレール３箇所の省スペースを図ることができる。
【００４４】
次に、請求項２の発明は、請求項１において、前記コーナーレール３をその頂部がスライダーカーテンＰの屋外側下端より低い位置に下げ、かつ下側のガイド部材１１が上下に可動してコーナーレール３に追従してなる横引スライダーとしたことにより、スライダーカーテンＰがコーナーレール部材Ａ2 箇所を通過する時にも、ガイド部材１１が下部ガイドレールＡの高低差に従って追従して案内することで、スムーズに開閉移動することができる。またスライダーカーテンＰは上部ガイドレール２５に吊設され（下部ガイドレールＡの高低とは関係なく）同一高さのまま水平に移動するため、操作力が安定している。
【００４５】
次に、請求項３の発明は、請求項１又は２において、前記コーナーレール３の幅方向両側に外れ止めガイド３ａ，３ａを形成してなる横引スライダーとしたことにより、スライダーカーテンＰがコーナーレール３箇所を通過する時に、ガイド部材１１が外れ止めガイド３ａ，３ａに支持されてコーナーレール３から脱落することを防止することができる。
【００４６】
次に、請求項４の発明は、出入口側レールと収納側レールとコーナーレールとから構成された上下のガイドレールに、複数のパネルを屈曲自在に連結したスライダーカーテンの上下端に設けられた上下のガイド部材が案内されて、横方向に開閉移動する上吊り式横引スライダーにおいて、スライダーカーテンＰの屋外側下端が、出入口側レール部では出入口側レール頂部より下に位置し、且つコーナーレール部ではコーナーレール３頂部より上に位置し、該コーナーレール３は、両コーナー端部箇所では、隣接するレールと同等高さでコーナーレール３の中央側に向かって次第に消滅する略三角錐形状とした三角錐状レール３B ，３B を形成し、前記コーナー端部箇所を除いて断面凹形状の凹レール３A としてなる横引スライダーとしたことにより、スライダーカーテンＰの開閉動作を高速に行なっても脱輪を防止することができる。
【００４７】
即ち、コーナーレール３のコーナー部分を断面凹形状の凹レール３A としたので、ジョイントパネルＰJ の輪状体としたガイド部材１１はその下部が常時，凹レール３A 内に収まりながら回転移動することになり、スライダーカーテンＰがコーナーレール３を高速で通過し、そのスライダーカーテンＰに遠心力がかかり外側に大きな荷重がかかっても脱輪することを防止することができる。
【００４８】
さらに、コーナーレール３の両コーナー端部箇所に隣接するレールと同等高さでコーナーレール３の中央側に向かって次第に消滅する略三角錐形状とした三角錐状レール３B ，３B を形成しているので、ガイド部材１１が出入口側レール１から凹レール３A に移動するときや、或いは収納側レール５から凹レール３A に移動するときに、極めて円滑に行なわれ、ひいてはスライダーカーテンＰのコーナーレール３での通過動作を良好にすることができる。
【図面の簡単な説明】
【図１】（Ａ）は横引スライダーの斜視図
（Ｂ）は下部ガイドレールの平面図
【図２】（Ａ）は下部ガイドレールの要部斜視図
（Ｂ）は傾斜レール部材の斜視図
（Ｃ）乃至（Ｅ）は傾斜レール部材の要部断面図
【図３】（Ａ）はジョイントパネルの側面図
（Ｂ）はジョイントパネルの要部断面図
（Ｃ）はジョイントパネルの下部における一部切除した要部拡大図
【図４】横引スライダーの側面図
【図５】（Ａ）は下部ガイドレールを通過する横引スライダーの作用図
（Ｂ）はジョイントパネルの要部断面図
（Ｃ）はジョイントパネルの要部断面図
【図６】（Ａ）は下部ガイドレールを通過する横引スライダーの作用図
（Ｂ）はＸ1 −Ｘ1 矢視断面図
（Ｃ）はＸ2 −Ｘ2 矢視断面図
（Ｄ）は中間パネルの要部断面図
【図７】（Ａ）は下部ガイドレールを通過する横引スライダーの作用図
（Ｂ）は下部ガイドレールの略示図
【図８】（Ａ）は下部ガイドレールの別の実施形態の斜視図
（Ｂ）はコーナーレール部材とジョイントパネルの要部における断面図
（Ｃ）は出入口側レール部材とジョイントパネルの要部における断面図
（Ｄ）はコーナーレールに外れ止部を形成した実施の形態の断面図
【図９】（Ａ）はジョイントパネルの要部斜視図
（Ｂ）は中間パネルの要部斜視図
（Ｃ）はジョイントパネルの要部断面図
（Ｄ）は中間パネルの要部断面図
【図１０】開口部（スライダー全閉時）の平面図
【図１１】（Ａ）は下部ガイドレールの別の実施形態の平面図
（Ｂ）はＱ1 −Ｑ1 矢視断面図
（Ｃ）はＱ2 −Ｑ2 矢視断面図
（Ｄ）はＱ3 −Ｑ3 矢視断面図
【図１２】（Ａ）は出入口側レールに連結する側の三角錐状レール箇所の斜視図
（Ｂ）は（Ａ）の縦断側面図
（Ｃ）はＲ1 −Ｒ1 矢視断面図
（Ｄ）はＲ2 −Ｒ2 矢視断面図
（Ｅ）はＲ3 −Ｒ3 矢視断面図
（Ｆ）はＲ4 −Ｒ4 矢視断面図
【図１３】凹レールの斜視図
【図１４】収納側レールに連結する側の三角錐状レール箇所の斜視図
【図１５】（Ａ）はスライダーカーテンがコーナーレールを通過する状態略示図
（Ｂ）はガイド部材が出入口側レールから三角錐状レール及び凹レールを通過する状態略示図
【図１６】（Ａ），（Ｂ）はガイド部材が三角錐状レールを移動している状態の縦断正面図
（Ｃ）はガイド部材が凹レールを移動する状態の縦断正面図
【図１７】中間パネルが凹レール上方を幅方向に移動する状態の作用図
【符号の説明】
１…出入口側レール
３…コーナーレール
３ａ…外れ止めガイド
１１…ガイド部材
Ｐ…スライダーカーテン
３A …凹レール
３B …三角錐状レール
【図１】
0003723678.tif 000002
【図２】
0003723678.tif 000003
【図３】
0003723678.tif 000004
【図４】
0003723678.tif 000005
【図５】
0003723678.tif 000006
【図６】
0003723678.tif 000007
【図７】
0003723678.tif 000008
【図８】
0003723678.tif 000009
【図９】
0003723678.tif 000010
【図１０】
0003723678.tif 000011
【図１１】
0003723678.tif 000012
【図１２】
0003723678.tif 000013
【図１３】
0003723678.tif 000014
【図１４】
0003723678.tif 000015
【図１５】
0003723678.tif 000016
【図１６】
0003723678.tif 000017
【図１７】
0003723678.tif 000018